(57)【要約】【課題】内容物が充填された新たな容器本体を有するレフィール容器を付け替える。【解決手段】外装体１１と、レフィール容器１２と、操作体１３と、を備え、レフィール容器１２の押下ヘッド３１、および操作体１３のうちのいずれか一方には、他方に設けられた案内面６７を摺動することで、押下ヘッドを操作体に対して下降させるとともに、他方に設けられた規制面６８に係止され、レフィール容器が外装体に対して回転して緩む緩み側Ｍ２に、操作体が押下ヘッドに対して回転することが規制される係合突起６９が形成され、レフィール容器が外装体に対して回転して締め込まれる締め込み側Ｍ１に、操作体を押下ヘッドに対して回転させたときに、係合突起が案内面を摺動する。【選択図】図３
2019043567.tif 000002
【特許請求の範囲】
【請求項１】
筒状の外装体と、
内容物が収容されるとともに前記外装体内に配設された容器本体、および吐出孔が形成された押下ヘッドを有し、前記押下ヘッドの押下に伴い前記容器本体内の内容物が前記吐出孔から吐出される吐出器を備え、前記外装体に対する容器軸回りに沿う周方向の回転に伴って前記外装体から離脱可能とされたレフィール容器と、
前記外装体に回転可能に装着されるとともに、前記押下ヘッドが挿入された挿入孔が形成された操作体と、を備え、
前記押下ヘッド、および前記操作体のうちのいずれか一方には、他方に設けられた案内面を摺動することで、前記押下ヘッドを前記操作体に対して下降させるとともに、他方に設けられた規制面に係止され、前記レフィール容器が前記外装体に対して回転して緩む緩み側に、前記操作体が前記押下ヘッドに対して回転することが規制される係合突起が形成され、
前記レフィール容器が前記外装体に対して回転して締め込まれる締め込み側に、前記操作体を前記押下ヘッドに対して回転させたときに、前記係合突起が前記案内面を摺動することを特徴とする吐出容器。
【請求項２】
前記外装体は、前記容器本体を容器軸方向の全域にわたって覆っていることを特徴とする請求項１に記載の吐出容器。
【請求項３】
前記外装体には、前記押下ヘッドおよび前記操作体を全域にわたって開放可能に覆う蓋体が配設されていることを特徴とする請求項１または２に記載の吐出容器。
【発明の詳細な説明】
【技術分野】
【０００１】
本発明は、吐出容器に関するものである。
【背景技術】
【０００２】
従来から、例えば下記特許文献１に示されるような、内容物が収容される容器本体と、吐出孔が形成された押下ヘッドを有し、押下ヘッドの押下に伴い容器本体内の内容物が吐出孔から吐出される吐出器と、回転可能に配設されるとともに、押下ヘッドが挿入された挿入孔が形成された操作体と、を備え、押下ヘッドに、操作体に設けられた案内面を周方向に摺動することで、押下ヘッドを操作体に対して下降させる係合突起が形成された吐出容器が知られている。
【先行技術文献】
【特許文献】
【０００３】
【特許文献１】特開２０１３−２０３４０７号公報
【発明の概要】
【発明が解決しようとする課題】
【０００４】
しかしながら、前記従来の吐出容器では、容器本体内の内容物を使い切ると、吐出容器の全体を廃棄する必要があり、吐出容器のうちの一部を付け替えることに対する要望があった。
【０００５】
本発明は、このような事情を考慮してなされたもので、内容物が充填された新たな容器本体を有するレフィール容器を付け替えることができる吐出容器を提供することを目的とする。
【課題を解決するための手段】
【０００６】
上記課題を解決して、このような目的を達成するために、本発明の吐出容器は、筒状の外装体と、内容物が収容されるとともに前記外装体内に配設された容器本体、および吐出孔が形成された押下ヘッドを有し、前記押下ヘッドの押下に伴い前記容器本体内の内容物が前記吐出孔から吐出される吐出器を備え、前記外装体に対する容器軸回りに沿う周方向の回転に伴って前記外装体から離脱可能とされたレフィール容器と、前記外装体に回転可能に装着されるとともに、前記押下ヘッドが挿入された挿入孔が形成された操作体と、を備え、前記押下ヘッド、および前記操作体のうちのいずれか一方には、他方に設けられた案内面を摺動することで、前記押下ヘッドを前記操作体に対して下降させるとともに、他方に設けられた規制面に係止され、前記レフィール容器が前記外装体に対して回転して緩む緩み側に、前記操作体が前記押下ヘッドに対して回転することが規制される係合突起が形成され、前記レフィール容器が前記外装体に対して回転して締め込まれる締め込み側に、前記操作体を前記押下ヘッドに対して回転させたときに、前記係合突起が前記案内面を摺動することを特徴とする。
【０００７】
本発明によれば、操作体を、押下ヘッドに対して前記締め込み側に回転させ、係合突起が案内面を周方向に摺動すると、押下ヘッドが操作体に対して下降し、容器本体内の内容物が吐出孔から吐出される。
操作体を、押下ヘッドに対して前記緩み側に回転させようとすると、係合突起が規制面に係止され、操作体および押下ヘッドが一体に前記緩み側に回転しようとする。これにより、押下ヘッドを有するレフィール容器が外装体に対して前記緩み側に回転し、レフィール容器が外装体から取り外される。したがって、容器本体内の内容物を使い切ったときに、操作体を押下ヘッドに対して前記緩み側に回転させると、レフィール容器が外装体から取り外されることから、内容物が充填された新たな容器本体を有するレフィール容器を外装体に容易に付け替えることができる。
【０００８】
ここで、前記外装体は、前記容器本体を容器軸方向の全域にわたって覆ってもよい。
【０００９】
この場合、外装体が、容器本体を容器軸方向の全域にわたって覆っているので、容器本体に不意に加えられた外力によって、レフィール容器が外装体に対して前記緩み側に不用意に回転してしまうのを防ぐことができる。
【００１０】
また、前記外装体には、前記押下ヘッドおよび前記操作体を全域にわたって開放可能に覆う蓋体が配設されてもよい。
【００１１】
この場合、外装体に、押下ヘッドおよび操作体を全域にわたって開放可能に覆う蓋体が配設されているので、この吐出容器の持ち運び時に、操作体に不意の外力が加えられるのを防ぐことができる。
【発明の効果】
【００１２】
本発明によれば、内容物が充填された新たな容器本体を有するレフィール容器を付け替えることができる。
【図面の簡単な説明】
【００１３】
【図１】本発明に係る一実施形態として示した吐出容器の縦断面図である。
【図２】図１に示す吐出容器であって、押下ヘッドを下降端位置に位置させた状態を示す縦断面図である。
【図３】図１および図２に示す吐出容器であって、レフィール容器と外装体および操作体とを分離した状態を示す一部縦断面図である。
【発明を実施するための形態】
【００１４】
以下、図面を参照し、この発明の実施の形態について説明する。本実施形態に係る吐出容器１は、図１に示されるように、外装体１１と、レフィール容器１２と、操作体１３と、蓋体１４と、を備える。なお、蓋体１４は設けなくてもよい。図示の例では、吐出容器１は、例えば化粧料等の内容物が収容されるコンパクト容器となっている。
外装体１１、操作体１３および蓋体１４はそれぞれ、有頂筒状に形成されるとともに、共通軸と同軸に配設されている。以下、この共通軸を容器軸Ｏといい、容器軸Ｏ方向のうち、蓋体１４の頂壁側を上側といい、その逆側を下側という。容器軸Ｏ方向から見て容器軸Ｏに交差する方向を径方向といい、容器軸Ｏ回りに周回する方向を周方向という。周方向のうち、吐出容器１の上面視で容器軸Ｏを時計回りに周回する方向を第１回転方向Ｍ１といい、その逆方向を第２回転方向Ｍ２という。
【００１５】
蓋体１４は、レフィール容器１２の後述する押下ヘッド３１、および操作体１３を全域にわたって開放可能に覆っている。蓋体１４は、容器軸Ｏ方向から見た平面視で、容器軸Ｏと同軸に配置された円形状を呈する。蓋体１４の頂壁の内面に鏡体１４ａが固着されている。
蓋体１４は、外装体１１にヒンジ部１５を介して連結されている。蓋体１４および外装体１１それぞれの外周縁部において、容器軸Ｏを径方向に挟むヒンジ部１５の反対側に、蓋体１４の外装体１１に対する閉状態を維持する係合部１６が配設されている。
以下、径方向のうち、ヒンジ部１５側を後側といい、係合部１６側を前側といい、前後方向に直交する方向を左右方向という。
【００１６】
外装体１１は、有頂筒状の本体筒２０と、本体筒２０内に嵌合された雌ねじ筒１７と、を備える。なお、外装体１１として、雌ねじ筒１７を有さず、本体筒２０に雌ねじ部が形成された構成を採用してもよい。外装体１１は、容器軸Ｏ方向から見た平面視で、容器軸Ｏと同軸に配置された円形状を呈する。
雌ねじ筒１７は、本体筒２０の下端部内に嵌合され、内周面に雌ねじ部１７ａが形成されている。図示の例では、雌ねじ筒１７は、下端部同士が連結された二重筒状に形成され、その内筒部分の内周面に雌ねじ部１７ａが形成されている。雌ねじ部１７ａは、多条ねじとなっているが、一条ねじであってもよく、また、外装体１１に対する周方向の回転に伴って外装体１１から離脱する構成であれば、ねじに限らず適宜変更してもよい。
本体筒２０の頂壁は、環状に形成され、容器軸Ｏと同軸に配設されている。本体筒２０において、周壁と頂壁との接続部分における前端部に、上側および前側に一体に開口する窪み部１９が形成され、窪み部１９に係合部１６が配設されている。本体筒２０において、周壁と頂壁との接続部分における後端部に、上側および後側に一体に開口するヒンジ凹部１８が形成され、ヒンジ凹部１８にヒンジ部１５が配設されている。
【００１７】
ヒンジ部１５は、ヒンジ突部２１およびヒンジ軸２２を備える。
ヒンジ突部２１は、蓋体１４の周壁における後端部に、下方に向けて突出し、ヒンジ凹部１８に配置されている。ヒンジ突部２１は、左右方向から見て円形状を呈する。ヒンジ軸２２は、ヒンジ凹部１８の内面のうち、左右方向で互いに対向する一対の対向面と、ヒンジ突部２１における左右方向の両端部と、を各別に連結している。ヒンジ突部２１が、ヒンジ凹部１８内でヒンジ軸２２回りに回転することで、蓋体１４が、ヒンジ軸２２回りに回動する。
【００１８】
係合部１６は、外装体１１の窪み部１９に配置された外装体側係合部２３ａと、蓋体１４に配設され、外装体側係合部２３ａに係合可能な蓋体側係合部２４と、外装体側係合部２３ａおよび蓋体側係合部２４の係合を解除するプッシュピース２５と、を備える。
【００１９】
外装体側係合部２３ａは、外装体１１の窪み部１９の内面のうち、前側を向く前面から、前方に向けて突出している。外装体側係合部２３ａは、窪み部１９の前面の上端部に形成されている。窪み部１９の前面において、外装体側係合部２３ａの下方に位置する部分に、前方に向けて突出し、上面が前方に向かうに従い漸次、下方に向けて延びたガイド突部２３ｂが形成されている。ガイド突部２３ｂは、外装体側係合部２３ａより前方に突出している。ガイド突部２３ｂの前端縁は、外装体１１における本体筒２０の周壁の外周面より後方に位置している。窪み部１９の前面において、ガイド突部２３ｂより下方に位置する下端部に、前後方向に貫くガイド孔２３ｃが形成されている。
【００２０】
蓋体側係合部２４は、蓋体１４の頂壁の内面における前端部から下方に向けて突出している。蓋体側係合部２４の下端部は、外装体１１の窪み部１９内に配置されている。蓋体側係合部２４の下面は、ガイド突部２３ｂの上面に容器軸Ｏ方向で対向している。蓋体側係合部２４の下端部に、後方に向けて突出し、外装体側係合部２３ａに、外装体側係合部２３ａの下側から係合した爪部２４ａが形成されている。
【００２１】
プッシュピース２５は、外装体１１の窪み部１９の内側に、前後動可能に配設されている。プッシュピース２５は、窪み部１９の後端部に配置された押圧壁２５ａと、押圧壁２５ａの下端部から後方に向けて突出し、ガイド孔２３ｃに挿入されたベース部２５ｂと、押圧壁２５ａにおいて、ベース部２５ｂより上方に位置する部分から後方に向けて突出し、ガイド突部２３ｂの上面に摺接する押上げ突起２５ｃと、を備える。押上げ突起２５ｃの上面は、蓋体側係合部２４の下面に当接若しくは近接している。
【００２２】
操作体１３は、囲繞筒１３ａと、囲繞筒１３ａを径方向の外側から囲繞する装着筒１３ｂと、囲繞筒１３ａおよび装着筒１３ｂの上端部同士を連結する頂板１３ｃと、を備える。囲繞筒１３ａ、装着筒１３ｂおよび頂板１３ｃは、容器軸Ｏと同軸に配置されている。
頂板１３ｃには、レフィール容器１２の後述する押下ヘッド３１が挿入された挿入孔１３ｄが形成されている。挿入孔１３ｄは容器軸Ｏと同軸に配置されている。
装着筒１３ｂの下端部は、外装体１１の本体筒２０の頂壁内に、容器軸Ｏ方向の移動が規制された状態で、周方向に回転可能に嵌合されている。囲繞筒１３ａは、頂板１３ｃの下面における挿入孔１３ｄの開口周縁部に配置されている。挿入孔１３ｄの内径は、囲繞筒１３ａの内径より小さい。
操作体１３に、グリップ筒２６が外嵌されている。図示の例では、グリップ筒２６は、装着筒１３ｂのうち、外装体１１の本体筒２０の頂壁より上方に位置する部分に外嵌されている。グリップ筒２６は、例えばニトリルゴム、ブチルゴム、シリコンゴム、エラストマー、若しくはウレタン等の弾性変形可能な軟材質で形成されている。なお、グリップ筒２６の外周面に、操作時に指を引っ掛けることが可能な係合部を形成してもよい。例えばグリップ筒２６の容器軸Ｏ方向から見た平面視形状を角形状等にしてもよい。装着筒１３ｂにグリップ筒２６を配設しなくてもよい。
【００２３】
レフィール容器１２は、外装体１１に対する周方向の回転に伴って外装体１１から離脱可能とされている。レフィール容器１２は、外装体１１内に外装体１１の下方から挿入されている。レフィール容器１２の、外装体１１内から上方に向けた離脱が規制されている。
レフィール容器１２は、内容物が収容されるとともに外装体１１内に配設された容器本体３２と、吐出孔３３が形成された押下ヘッド３１を有し、押下ヘッド３１の押下に伴い容器本体３２内の内容物が吐出孔３３から吐出される吐出器３４と、を備える。
押下ヘッド３１および容器本体３２は、周方向の相対的な回転移動が規制された状態で配設されている。外装体１１は、容器本体３２を容器軸Ｏ方向の全域にわたって覆っている。
【００２４】
容器本体３２は、有底筒状の外容器３６と、外容器３６内に相対回転不能に嵌合された内容器３７と、中皿３５と、を備える。
【００２５】
外容器３６は、容器軸Ｏと同軸に配設されている。外容器３６の底壁の下面、および外装体１１の本体筒２０の周壁の下端開口縁それぞれの容器軸Ｏ方向の位置は、互いに同等になっている。外容器３６の外周面には、外装体１１の雌ねじ筒１７の雌ねじ部１７ａに離脱可能に係止された雄ねじ部３６ａが形成されている。雄ねじ部３６ａは、外装体１１に対して外容器３６を第１回転方向Ｍ１に回転させた際に、外容器３６が外装体１１に締め込まれるように螺旋状に形成されている。そのため、周方向のうち、第１回転方向Ｍ１（図示の例では時計回り）が、外容器３６が外装体１１に対して回転して締め込まれる締め込み側となり、第２回転方向Ｍ２（図示の例では反時計回り）が、外容器３６が外装体１１に対して回転して緩む緩み側となる。
【００２６】
内容器３７は、外容器３６内に嵌合された外周壁３８と、外周壁３８の径方向の内側に配置された内周壁３９と、外周壁３８および内周壁３９の上端部同士を連結する環状の連結板４０と、を備える。外周壁３８、内周壁３９、および連結板４０は、容器軸Ｏと同軸に配設されている。外周壁３８、および外容器３６それぞれの上端部は、外装体１１の本体筒２０の頂壁により覆われている。
【００２７】
ここで図示の例では、前述の中皿３５は環状に形成されている。中皿３５の外周面は、外周壁３８の内周面に密に下方に向けて摺動する。中皿３５の内周面は、内周壁３９の外周面に密に下方に向けて摺動する。内容物は、容器本体３２のうち、外周壁３８、内周壁３９、中皿３５、および外容器３６の底壁で囲まれた環状の収容空間Ｘに充填される。収容空間Ｘは、内容物の減少に伴い中皿３５が下降して減容する。
中皿３５の上面と、連結板４０の下面と、が容器軸Ｏ方向で対向している。連結板４０には、容器軸Ｏ方向に貫通する空気孔４０ａが周方向に間隔をあけて複数形成されている。
【００２８】
吐出器３４は、上方付勢状態で下降移動可能に配設されたステム４１と、ステム４１の上下動に連係する筒状のピストン４２と、内側にピストン４２が上下摺動可能に嵌合されたシリンダ４３と、シリンダ４３の内側に配設され、ピストン４２が上下摺動可能に外嵌されたピストンガイド４４と、シリンダ４３の内側に配設され、収容空間Ｘからシリンダ４３内への内容物の流入を許容し、かつシリンダ４３内から収容空間Ｘへの内容物の流出を規制する吸込弁４５と、ピストン４２のシリンダ４３から上方に向けた離脱を規制するピストン押さえ４６と、前記押下ヘッド３１と、を備える。押下ヘッド３１の押下に伴い容器本体３２の収容空間Ｘ内の内容物が吐出孔３３から吐出される。
【００２９】
シリンダ４３は、容器本体３２における内周壁３９の径方向の内側に配置されている。シリンダ４３は、容器軸Ｏと同軸に配設されている。シリンダ４３、および容器本体３２の内周壁３９それぞれの下端開口部は、閉塞板４７により一体に閉塞されている。図示の例では、シリンダ４３は、容器本体３２の内容器３７、および閉塞板４７と一体に形成されている。
【００３０】
閉塞板４７のうち、シリンダ４３の径方向の内側に位置する部分の下面と、外容器３６の底壁の上面と、の間に容器軸Ｏ方向の連通隙間７１が設けられている。閉塞板４７には、容器軸Ｏ方向に貫通し、連通隙間７１とシリンダ４３内とを連通する吸込孔４７ａが形成されている。閉塞板４７のうち、シリンダ４３と内周壁３９との間に位置する部分の下面と、外容器３６の底壁の上面と、の間に、収容空間Ｘと連通隙間７１とを連通する連通路４８が形成されている。
【００３１】
吸込弁４５は、シリンダ４３の下端部内に嵌合されたリング体と、閉塞板４７のうち、シリンダ４３内に位置する部分における吸込孔４７ａの開口周縁部に、上方に向けて離反可能に配設された弁本体と、リング体と弁本体とを連結する弾性連結片と、を備えている。吸込弁４５は、閉塞板４７の上面に当接することで吸込孔４７ａを閉塞し、シリンダ４３内と収容空間Ｘとの連通を遮断する。吸込弁４５は、閉塞板４７の上面から上方に離間することで吸込孔４７ａを開放し、シリンダ４３内と収容空間Ｘとを連通する。吸込弁４５は、シリンダ４３内に負圧が生じたときに、例えば弾性付勢力に抗して開弁し、それ以外のときには閉弁する。
【００３２】
ピストン押さえ４６は、シリンダ４３に外嵌された小径部４９と、小径部４９を径方向の外側から囲繞し、かつ容器本体３２の内周壁３９の内側に配置された大径部５０と、小径部４９および大径部５０それぞれの下端部同士を連結する環状のばね座部５１と、小径部４９の上端部から径方向の内側に向けて突出し、シリンダ４３の上端開口縁を径方向に跨いで下方に向けて延びる押さえ部５２と、を備える。
ピストン押さえ４６は、容器本体３２およびシリンダ４３のうちの少なくとも一方に対して、周方向に回転不能に配設されている。押さえ部５２は、ピストン４２に、ピストン４２の上方から当接若しくは近接している。
【００３３】
ピストンガイド４４は有底筒状に形成されている。ピストンガイド４４の下端部には、径方向の外側に向けて突出した鍔部５３が形成されている。鍔部５３は、ピストン４２をピストン４２の下側から支持している。鍔部５３は、シリンダ４３内に容器軸Ｏ方向に摺動自在に嵌合されている。鍔部５３には、鍔部５３を容器軸Ｏ方向に貫通する第１流通孔５４が形成されている。第１流通孔５４は、鍔部５３に周方向に間隔をあけて複数配置されている。
ピストンガイド４４の上端部は、シリンダ４３の上端開口部よりも上方に位置している。ピストンガイド４４における容器軸Ｏ方向の中間部に、ピストンガイド４４を径方向に貫く第２流通孔５５が、周方向に間隔をあけて複数形成されている。
【００３４】
ステム４１は、ピストンガイド４４に嵌合された下ステム５６と、下ステム５６から上方に向けて突出した上ステム５７と、を備える。
【００３５】
下ステム５６は、容器軸Ｏと同軸に配設された有頂筒状に形成されている。下ステム５６の周壁５８は、ピストン押さえ４６の小径部４９に下方に向けて移動可能に外嵌されている。下ステム５６の周壁５８の内周面、およびピストン押さえ４６の小径部４９の外周面に、互いが係合することで、下ステム５６およびピストン押さえ４６の相対的な周方向の回転移動を規制する規制部が各別に形成されている。
下ステム５６の周壁５８には、径方向の外側に向けて突出し、全周にわたって連続して延びるばね受部５８ａが形成されている。ばね受部５８ａの下面と、ピストン押さえ４６のばね座部５１の上面と、は容器軸Ｏ方向で対向している。ばね受部５８ａの下面と、ピストン押さえ４６のばね座部５１の上面と、の間に、主コイルスプリング５９が配設されている。下ステム５６の周壁５８の下端開口縁は、ピストン押さえ４６のばね座部５１より上方に位置している。
【００３６】
下ステム５６の頂壁６０には、下方に向けて突出し、ピストンガイド４４の上端部が嵌合された嵌合筒６１が形成されている。嵌合筒６１は、ピストンガイド４４の上端部に外嵌されている。嵌合筒６１の下端部は、ピストン４２にピストン４２の上方から当接若しくは近接しており、下ステム５６の下降時に、嵌合筒６１にピストン４２が係止され、下ステム５６およびピストン４２が一体に下降する。下ステム５６の頂壁６０において、嵌合筒６１の内側に位置する部分に、頂壁６０を容器軸Ｏ方向に貫く装着孔が形成されている。この装着孔は、容器軸Ｏと同軸に位置している。下ステム５６の頂壁６０に、上方に向けて突出し、前記装着孔を径方向の外側から囲う案内筒６２が形成されている。下ステム５６の頂壁６０の下面は、ピストン押さえ４６の小径部４９の上端部より上方に位置している。
【００３７】
上ステム５７は、有頂筒状に形成され、下ステム５６の頂壁６０の前記装着孔に嵌合されている。上ステム５７の下端開口部は、ピストンガイド４４の内側に位置している。上ステム５７の周壁のうち、下ステム５６の頂壁６０の上面より下方に位置する下部分は、頂壁６０の上面より上方に位置する上部分より外径が小さい。上ステム５７の頂壁の外周縁部（以下、栓部という）５７ａは、上ステム５７の周壁より径方向の外側に位置している。上ステム５７の前記上部分には、上ステム５７を径方向に貫く横孔５７ｂが、周方向に間隔をあけて複数形成されている。
【００３８】
押下ヘッド３１は、有頂筒状に形成され、容器軸Ｏと同軸に配設されている。押下ヘッド３１の周壁部６３は、操作体１３の挿入孔１３ｄから上方に突出し、かつ操作体１３の囲繞筒１３ａ内から下方に突出し、ピストン押さえ４６の大径部５０の上端部内に至っている。押下ヘッド３１の周壁部６３は、操作体１３の囲繞筒１３ａの内周面、およびピストン押さえ４６の大径部５０の内周面と、下ステム５６の周壁５８の外周面と、の間の径方向の隙間に配設されている。押下ヘッド３１の内面、および下ステム５６の外面に、互いが係合することで、押下ヘッド３１およびステム４１の相対的な周方向の回転移動を規制する規制部３１ａ、４１ａが各別に形成されている。
【００３９】
押下ヘッド３１の頂壁部６４の下面と、下ステム５６の頂壁６０の上面と、の間に、容器軸Ｏ方向の隙間が設けられている。押下ヘッド３１の頂壁部６４に、吐出孔３３が形成されている。なお、頂壁部６４の上面と蓋体１４の頂壁の内面との間に、例えばパフ等の塗布具Ｙが収容されている。吐出孔３３は、容器軸Ｏと同軸に配置されている。この頂壁部６４における吐出孔３３の開口周縁部に、下方に向けて突出し、下ステム５６の案内筒６２に容器軸Ｏ方向に摺動可能に嵌合した摺動筒６４ａが形成されている。摺動筒６４ａは、案内筒６２の内側に位置している。摺動筒６４ａの内周面と、上ステム５７の前記上部分の外周面と、の間に径方向の隙間が設けられている。押下ヘッド３１の頂壁部６４の上面における吐出孔３３の開口周縁部に、上ステム５７の栓部５７ａが当接している。これにより、吐出孔３３と、上ステム５７の横孔５７ｂと、の連通が遮断されている。図示の例では、押下ヘッド３１の頂壁部６４の上面における吐出孔３３の開口周縁部に、容器軸Ｏと同軸に配置された環状溝が全周にわたって連続して形成されている。
【００４０】
押下ヘッド３１の頂壁部６４の下面と、下ステム５６の頂壁６０の上面と、の間に、押下ヘッド３１をステム４１に対して上方付勢状態で下方移動可能に支持する副コイルスプリング６５が配設されている。副コイルスプリング６５は、下ステム５６の案内筒６２に外装されている。副コイルスプリング６５のばね定数は、主コイルスプリング５９のばね定数より低い。
ステム４１には、押下ヘッド３１の摺動筒６４ａ内に、密に容器軸Ｏ方向に摺動可能に嵌合されたシール筒６６が配設されている。シール筒６６は、上ステム５７の前記上部分と、下ステム５６の頂壁６０の上面と、の間に挟まれて固定されている。
【００４１】
そして本実施形態では、図３に示されるように、押下ヘッド３１、および操作体１３のうちのいずれか一方に、他方に設けられた案内面６７を摺動することで、押下ヘッド３１を操作体１３に対して下降させるとともに、他方に設けられた規制面６８に係止され、レフィール容器１２が外装体１１に対して回転して緩む第２回転方向Ｍ２に、操作体１３が押下ヘッド３１に対して回転することが規制される係合突起６９が形成されている。係合突起６９は、レフィール容器１２が外装体１１に対して回転して締め込まれる第１回転方向Ｍ１に、操作体１３を押下ヘッド３１に対して回転させたときに、案内面６７を摺動する。
【００４２】
図示の例では、係合突起６９は、押下ヘッド３１に形成され、案内面６７および規制面６８は、操作体１３に配設されている。
係合突起６９は、押下ヘッド３１の周壁部６３の外周面において、操作体１３の囲繞筒１３ａの内周面と径方向に対向する位置に形成されている。係合突起６９は、円柱状に形成されている。係合突起６９は、押下ヘッド３１に周方向に等間隔をあけて３つ形成されている。なお、係合突起６９の個数は、３つ未満でも４つ以上でもよい。
【００４３】
案内面６７および規制面６８は、操作体１３に周方向に連ねられて配設されている。案内面６７および規制面６８は、周方向に交互に連ねられて複数ずつ配設されている。案内面６７および規制面６８は、操作体１３の囲繞筒１３ａの内周面における全周にわたって配設されている。案内面６７および規制面６８の各個数は、係合突起６９の個数と同じになっている。なお、案内面６７および規制面６８の各個数を、係合突起６９の個数の、１より大きい整数倍としてもよい。
案内面６７および規制面６８は、操作体１３の囲繞筒１３ａの内周面に配設された突帯体７０に形成されている。突帯体７０は、囲繞筒１３ａの内周面から径方向の内側に向けて突出し、全周にわたって連続して延びている。突帯体７０の内周面は、操作体１３の挿入孔１３ｄの内周面と面一となっている。
【００４４】
規制面６８は、第２回転方向Ｍ２を向き、容器軸Ｏ方向に延びている。図示の例では、規制面６８は、容器軸Ｏ方向に真直ぐ延びている。
案内面６７は、下方を向き、規制面６８の上端縁から第２回転方向Ｍ２に向かうに従い漸次、下方に向けて延びている。案内面６７において、第１回転方向Ｍ１側の一端部６７ａは、上方に向けて突の曲面状に形成され、第２回転方向Ｍ２側の他端部６７ｂは、下方に向けて突の曲面状に形成されている。案内面６７は、周方向の全長にわたって段差なく滑らかに延びている。案内面６７の他端部６７ｂ、つまり突帯体７０の下端縁は、囲繞筒１３ａの下端開口縁より上方に位置している。案内面６７の一端部６７ａの、径方向の内側から見た正面視における曲率半径は、係合突起６９の外周面の半径より大きくなっている。
【００４５】
次に、以上のように構成された吐出容器１の作用について説明する。
【００４６】
まず、プッシュピース２５の押圧壁２５ａを後方に押し込むと、プッシュピース２５の押上げ突起２５ｃが、ガイド突部２３ｂの上面を摺動することで、蓋体側係合部２４が押し上げられ、爪部２４ａと外装体側係合部２３ａとの係合が解除される。そして、蓋体１４の前端部を引き上げると、蓋体１４がヒンジ軸２２回りに回動して、押下ヘッド３１および操作体１３が開放される。
【００４７】
次に、操作体１３を、押下ヘッド３１に対して第１回転方向Ｍ１に回転させると、押下ヘッド３１を含むレフィール容器１２全体は回転移動せず、押下ヘッド３１の係合突起６９が、操作体１３の案内面６７を相対的に第２回転方向Ｍ２に摺動することで、図２に示されるように、押下ヘッド３１が操作体１３に対して下降し、容器本体３２内の内容物が吐出孔３３から吐出される。この際、レフィール容器１２には、外容器３６が外装体１１に対して締め込まれる第１回転方向Ｍ１の力が加えられるので、レフィール容器１２が外装体１１に対して緩むことがない。
【００４８】
ここで、押下ヘッド３１が、操作体１３に対して下降する過程において、まず、押下ヘッド３１が、副コイルスプリング６５を容器軸Ｏ方向に圧縮変形させつつ、ステム４１に対して下降し、押下ヘッド３１の頂壁部６４の上面における吐出孔３３の開口周縁部が、上ステム５７の栓部５７ａから下方に離間し、吐出孔３３と、上ステム５７の横孔５７ｂと、が連通する。この際、下ステム５６の案内筒６２の上端開口縁が、押下ヘッド３１の頂壁部６４の下面に突き当たり、その後の押下ヘッド３１の下降に伴い、ステム４１も主コイルスプリング５９を容器軸Ｏ方向に圧縮変形させつつ下降する。このステム４１の下降時に、下ステム５６の嵌合筒６１の下端部にピストン４２が係止され、ステム４１およびピストン４２が一体に下降することで、シリンダ４３内が加圧される。これにより、シリンダ４３内の内容物が、ピストンガイド４４の第１流通孔５４、ピストンガイド４４の外周面とピストン４２の内周面との間、ピストンガイド４４の第２流通孔５５、ピストンガイド４４の内側、上ステム５７の内側、上ステム５７の横孔５７ｂ、並びに、上ステム５７の前記上部分の外周面と押下ヘッド３１の摺動筒６４ａの内周面との間の隙間を通して、吐出孔３３から吐出される。
【００４９】
さらに操作体１３を押下ヘッド３１に対して第１回転方向Ｍ１に回転させると、押下ヘッド３１の係合突起６９が、操作体１３における案内面６７の他端部６７ｂを通過して規制面６８に到達する。この際、主コイルスプリング５９および副コイルスプリング６５が復元変形することで、係合突起６９が案内面６７に沿って上昇するとともに、押下ヘッド３１およびステム４１が上方に向けて復元移動する。この過程で、ピストンガイド４４の鍔部５３が、ピストン４２をシリンダ４３内で押し上げることで、シリンダ４３内が負圧になると、吸込弁４５が吸込孔４７ａを開放し、収容空間Ｘの内容物が、連通路４８、連通隙間７１、および吸込孔４７ａを通してシリンダ４３内に吸い込まれる。収容空間Ｘの内容物の減少に伴って、中皿３５が下降して収容空間Ｘが減容する。
そして、押下ヘッド３１の頂壁部６４上の内容物を、塗布具Ｙに付着させ、塗布具Ｙを介して被塗布部に塗布する。
【００５０】
一方、操作体１３を、押下ヘッド３１に対して第２回転方向Ｍ２に回転させようとすると、操作体１３の規制面６８が押下ヘッド３１の係合突起６９に係止されることで、操作体１３および押下ヘッド３１が一体に第２回転方向Ｍ２に回転しようとする。この際、押下ヘッド３１および容器本体３２の周方向の相対的な回転移動が規制されているので、レフィール容器１２の全体が一体に、外装体１１に対して第２回転方向Ｍ２に回転する。これにより、外容器３６が外装体１１に対して緩み、レフィール容器１２が外装体１１および操作体１３から分離される。
【００５１】
その後、内容物が充填された新たな容器本体３２を有するレフィール容器１２を、外装体１１に付け替えるに際し、外容器３６の底壁の下面を、外装体１１の雌ねじ筒１７内に向けて容器軸Ｏ方向に押し込むと、外容器３６の雄ねじ部３６ａおよび外装体１１の雌ねじ部１７ａが互いに係合することで、レフィール容器１２が、外装体１１に対して第１回転方向Ｍ１に回転しながら、外装体１１内に進入して外装体１１に装着される。
なお、内容物が充填された新たな容器本体３２を有するレフィール容器１２を、外装体１１に付け替えるに際し、外容器３６の底壁の下面を、外装体１１の雌ねじ筒１７内に向けて容器軸Ｏ方向に押し込んだときに、外容器３６の雄ねじ部３６ａを、外装体１１の雌ねじ部１７ａに対して容器軸Ｏ方向に乗り越えさせて、レフィール容器１２を外装体１１に装着してもよい。この場合、例えば外装体１１の雌ねじ筒１７に、雌ねじ筒１７を周方向に分断する縦スリットを周方向に間隔をあけて複数形成する等してもよい。
【００５２】
以上説明したように、本実施形態による吐出容器１によれば、容器本体３２内の内容物を使い切ったときに、操作体１３を押下ヘッド３１に対して、内容物の吐出時とは逆向きの第２回転方向Ｍ２に回転させると、レフィール容器１２が外装体１１から取り外されることから、内容物が充填された新たな容器本体３２を有するレフィール容器１２を外装体１１に容易に付け替えることができる。
【００５３】
また、外装体１１が、容器本体３２を容器軸Ｏ方向の全域にわたって覆っているので、容器本体３２に不意に加えられた外力によって、レフィール容器１２が外装体１１から不用意に外れてしまうのを防ぐことができる。
また、外装体１１に、押下ヘッド３１および操作体１３を全域にわたって開放可能に覆う蓋体１４が配設されているので、この吐出容器１の持ち運び時に、操作体１３に不意の外力が加えられるのを防ぐことができる。
【００５４】
なお、本発明の技術的範囲は前記実施の形態に限定されるものではなく、本発明の趣旨を逸脱しない範囲において種々の変更を加えることが可能である。
【００５５】
前記実施形態では、容器本体３２が中皿３５を備え、収容空間Ｘの内容物の減少に伴い、中皿３５が容器軸Ｏ方向に移動することで、収容空間Ｘが減容する構成を示したが、これに代えて例えば、内容物が収容され、かつ変形可能に形成された内容器と、内側に内容器が収容された外容器と、を備え、内容器の内容物の減少に伴い、内容器が縮小変形する構成等を採用してもよい。
前記実施形態の吐出器３４に代えて例えば、内容物が収容された収容空間が、内容物の減少に伴い減容しない容器本体に装着される周知のポンプ等を採用してもよい。
前記実施形態のレフィール容器１２に代えて例えば、容器本体が吐出器に対して着脱可能とされた構成を採用してもよい。
前記実施形態では、係合突起６９を押下ヘッド３１に形成し、案内面６７および規制面６８を操作体１３に配設したが、係合突起６９を操作体１３に形成し、案内面６７および規制面６８を押下ヘッド３１に配設してもよい。
前記実施形態では、外装体１１が、容器本体３２を容器軸Ｏ方向の全域にわたって覆う構成を示したが、これに代えて例えば、容器本体３２を、外装体１１から下方に突出させる等適宜変更してもよい。
前記実施形態では、内容物を吐出するに際し、操作体１３を押下ヘッド３１に対して第１回転方向Ｍ１に回転させたが、操作体１３を操作せず、押下ヘッド３１を直接、押下して内容物を吐出してもよい。
【００５６】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５７】
１  吐出容器
１１  外装体
１２  レフィール容器
１３  操作体
１３ｄ  挿入孔
１４  蓋体
３１  押下ヘッド
３２  容器本体
３３  吐出孔
３４  吐出器
６７  案内面
６８  規制面
６９  係合突起
Ｍ１  第１回転方向（締め込み側）
Ｍ２  第２回転方向（緩み側）
Ｏ  容器軸
【図１】
2019043567.tif 000003
【図２】
2019043567.tif 000004
【図３】
2019043567.tif 000005